(57)【要約】      （修正有）【課題】出射光の広がり角を規制し、充分に高い照度で被写体を照明することができるストロボ装置を提供する。【解決手段】ストロボ装置１０は、閃光放電管からなる棒状光源１１と、この棒状光源１１からの放射光を光源１１の長さ方向に並ぶ複数の光束に分割して所定の方向に出射する光分割手段１４とを備える。光分割手段１４は、棒状光源１１からの放射光及び反射面１５ａで反射された光りのうち、リフレクタ１５の長さ方向の広がり角の大きい光を反射してリフレクタ１５の開放部から射出する複数の仕切反射板１６とからなる。【選択図】図６
2006098939.tif 000002
【特許請求の範囲】
【請求項１】
閃光放電管からなる棒状光源を備え、その発生光を前記光源の長さ方向に並ぶ複数の光束に分割して所定の方向に出射することを特徴とするストロボ装置。
【請求項２】
棒状光源と、前記棒状光源からの放射光を前記光源の長さ方向に並ぶ複数の光束に分割して出射する光分割手段とを備えたことを特徴とする請求項１に記載のストロボ装置。
【請求項３】
光分割手段は、一側が開放する横長の凹面反射面を有し、前記反射面で囲まれた空間内にその長さ方向に沿わせて配置された棒状光源からの放射光を前記反射面で反射して前記一側の開放部から出射するリフレクタと、前記リフレクタの前記空間内にその長さ方向に間隔をおいて配置され、前記棒状光源からの放射光及び前記反射面で反射された光のうち、リフレクタ長さ方向の広がり角が大きい光を反射して前記リフレクタの開放部から出射する複数の仕切反射板とからなっていることを特徴とする請求項２に記載のストロボ装置。
【請求項４】
複数の仕切反射板は、その周縁をリフレクタの反射面に当接されて設けられており、これらの仕切反射板にそれぞれ光源挿通部が形成され、前記複数の仕切反射板の前記光源挿通部に棒状光源が挿通されていることを特徴とする請求項３に記載のストロボ装置。
【請求項５】
光分割手段は、棒状光源の長さを複数分割した長さと同程度の厚さを有し、その厚さ方向に貫通する光源挿通孔が設けられ、前記厚さ方向に沿った周面の一側に出射面が形成されるとともに他の周面及び前記厚さ方向の両端面に前記光源挿通孔の周面から内部に入射した光を前記出射面に向けて反射する反射面が形成された複数の透明部材をその厚さ方向に並べて配置した透明部材配列体からなっており、その各透明部材の前記光源挿通孔に前記棒状光源が挿通されていることを特徴とする請求項２に記載のストロボ装置。
【請求項６】
透明部材の光源挿通孔の周面と、前記光源挿通孔に挿通された棒状光源の外周面との間の隙間に、透明な接着剤が充填されていることを特徴とする請求項５に記載のストロボ装置。
【請求項７】
複数の透明部材の周面及び両端面の反射面は、外気との界面で光を全反射する反射面であり、これらの透明部材は、隣り合う透明部材間に空隙を設けて配置されていることを特徴とする請求項５に記載のストロボ装置。
【請求項８】
複数の透明部材の周面の反射面と両端面の反射面の少なくとも一方は、反射膜を形成した反射面であることを特徴とする請求項５に記載のストロボ装置。
【請求項９】
光分割手段は、棒状光源からの放射光を分割した複数の光束をそれぞれ集光させて出射する集光手段をさらに備えていることを特徴とする請求項２〜８のいずれかに記載のストロボ装置。
【請求項１０】
集光手段は、分割した複数の光束の出射領域にそれぞれ対応する複数の集光レンズを有し、前記複数の光束の出射側に配置されたレンズ板からなっていることを特徴とする請求項９に記載のストロボ装置。
【請求項１１】
光分割手段は、棒状光源の発光領域をその長さ方向に複数分割した長さと同程度の厚さを有し、その厚さ方向に貫通する光源挿通孔が設けられ、前記厚さ方向に沿った周面の一側に出射面が形成されるとともに他の周面及び前記厚さ方向の両端面に前記光源挿通孔の周面から内部に入射した光を前記出射面に向けて反射する反射面が形成された複数の透明部材をその厚さ方向に並べて配置した透明部材配列体からなっており、集光手段は、前記複数の透明部材の出射面にそれぞれ形成された集光レンズからなっていることを特徴とする請求項９に記載のストロボ装置。
【請求項１２】
棒状光源を、周面の少なくとも一側にその長さ方向に並ぶ複数の凸レンズ状面が形成され、内部において発生した光を前記複数の凸レンズ状面により分割してこれらの凸レンズ状面からそれぞれ放射する分割光束放射光源としたことを特徴とする請求項１に記載のストロボ装置。
【請求項１３】
分割光束放射光源は、その周面の一側が分割光束放射面とされ、前記周面の他の部分に反射膜が設けられた指向性光源であることを特徴とする請求項１２に記載のストロボ装置。
【請求項１４】
分割光束放射光源の複数の凸レンズ状面からそれぞれ放射された複数の光束を各光束毎に集光させて出射する集光手段をさらに備えたことを特徴とする請求項１２または１３に記載のストロボ装置。
【請求項１５】
集光手段は、分割光束放射光源の複数の凸レンズ状面にそれぞれ対応する複数の集光レンズを有するレンズ板からなっていることを特徴とする請求項１４に記載のストロボ装置。
【請求項１６】
レンズ板の複数の集光レンズはそれぞれ、分割光束放射光源の凸レンズ状面から放射された光束の中心線付近に焦点を有していることを特徴とする請求項１５に記載のストロボ装置。
【発明の詳細な説明】
【技術分野】
【０００１】
この発明は、カメラのストロボ装置に関する。
【背景技術】
【０００２】
カメラのストロボ装置は、従来、閃光放電管からなる棒状光源と、一側が開放する横長の凹面反射面を有し、前記反射面で囲まれた空間内にその長さ方向に沿わせて配置された前記棒状光源からの放射光を前記反射面で反射して前記一側の開放部から出射するリフレクタとからなっている（特許文献１、２参照）。
【特許文献１】特開平９−３２５３８７号公報
【特許文献２】特開平１０−６２８４６号公報
【発明の開示】
【発明が解決しようとする課題】
【０００３】
しかし、前記従来のストロボ装置は、その出射光の広がり角が大きく、充分に高い照度で被写体を照明することができない。
【０００４】
この発明は、出射光の広がり角を規制し、充分に高い照度で被写体を照明することができるストロボ装置を提供することを目的としたものである。
【課題を解決するための手段】
【０００５】
この発明のストロボ装置は、閃光放電管からなる棒状光源を備え、その発生光を前記光源の長さ方向に並ぶ複数の光束に分割して所定の方向に出射することを特徴とする。
【０００６】
この発明のストロボ装置は、例えば、前記棒状光源と、この棒状光源からの放射光を前記光源の長さ方向に並ぶ複数の光束に分割して所定の方向に出射する光分割手段とを備えたものが好ましい。
【０００７】
前記棒状光源と光分割手段とを備えたストロボ装置において、前記光分割手段は、一側が開放する横長の凹面反射面を有し、前記反射面で囲まれた空間内にその長さ方向に沿わせて配置された前記棒状光源からの放射光を前記反射面で反射して前記一側の開放部から出射するリフレクタと、前記リフレクタの前記空間内にその長さ方向に間隔をおいて配置され、前記棒状光源からの放射光及び前記反射面で反射された光のうち、リフレクタ長さ方向の広がり角が大きい光を反射して前記リフレクタの開放部から出射する複数の仕切反射板とにより構成するのが望ましい。
【０００８】
その場合、前記複数の仕切反射板は、その周縁を前記リフレクタの反射面に当接させて設け、これらの仕切反射板にそれぞれ光源挿通部を形成し、前記複数の仕切反射板の前記光源挿通部に前記棒状光源を挿通するのが好ましい。
【０００９】
また、前記棒状光源と光分割手段とを備えたストロボ装置においては、前記光分割手段を、前記棒状光源の長さを複数分割した長さと同程度の厚さを有し、その厚さ方向に貫通する光源挿通孔が設けられ、前記厚さ方向に沿った周面の一側に出射面が形成されるとともに他の周面及び前記厚さ方向の両端面に前記光源挿通孔の周面から内部に入射した光を前記出射面に向けて反射する反射面が形成された複数の透明部材をその厚さ方向に並べて配置した透明部材配列体とし、その各透明部材の前記光源挿通孔に前記棒状光源を挿通してもよい。
【００１０】
その場合は、前記透明部材の光源挿通孔の周面と、前記光源挿通孔に挿通された棒状光源の外周面との間の隙間に、透明な接着剤を充填するのが望ましい。
【００１１】
前記複数の透明部材の周面及び両端面の反射面は、外気との界面で光を全反射する反射面でよく、その場合は、前記複数の透明部材を、隣り合う透明部材間に空隙を設けて配置すればよい。
【００１２】
また、前記複数の透明部材の周面の反射面と両端面の反射面の少なくとも一方は、反射膜を形成した反射面でもよい。
【００１３】
さらに、この発明のストロボ装置において、前記光分割手段は、前記棒状光源からの放射光を分割した複数の光束をそれぞれ集光させて出射する集光手段をさらに備えているのが望ましい。
【００１４】
その場合、前記集光手段は、例えば、前記分割した複数の光束の出射領域にそれぞれ対応する複数の集光レンズを有し、前記複数の光束の出射側に配置されたレンズ板が好ましい。
【００１５】
また、前記光分割手段を、上述したように、棒状光源の発光領域をその長さ方向に複数分割した長さと同程度の厚さを有し、その厚さ方向に貫通する光源挿通孔が設けられ、前記厚さ方向に沿った周面の一側に出射面が形成されるとともに他の周面及び前記厚さ方向の両端面に前記光源挿通孔の周面から内部に入射した光を前記出射面に向けて反射する反射面が形成された複数の透明部材をその厚さ方向に並べて配置した透明部材配列体とする場合は、前記集光手段を、前記複数の透明部材の出射面にそれぞれ集光レンズを形成して構成してもよい。
【００１６】
この発明のストロボ装置は、前記棒状光源を、周面の少なくとも一側にその長さ方向に並ぶ複数の凸レンズ状面が形成され、内部において発生した光を前記複数の凸レンズ状面により分割してこれらの凸レンズ状面からそれぞれ放射する分割光束放射光源としたものでもよい。
【００１７】
前記分割光束放射光源は、その周面の一側を分割光束放射面とし、前記周面の他の部分に反射膜を設けた指向性光源が好ましい。
【００１８】
また、前記分割光束放射光源を備えたストロボ装置は、前記分割光束放射光源の複数の凸レンズ状面からそれぞれ放射された複数の光束を各光束毎に集光させて出射する集光手段をさらに備えているのが好ましい。
【００１９】
その場合、前記集光手段は、前記分割光束放射光源の複数の凸レンズ状面にそれぞれ対応する複数の集光レンズを有するレンズ板が望ましい。
【００２０】
さらに、前記レンズ板の複数の集光レンズはそれぞれ、前記分割光束放射光源の凸レンズ状面から放射された光束の中心線付近に焦点を有しているのが好ましい。
【発明の効果】
【００２１】
この発明のストロボ装置は、閃光放電管からなる棒状光源の発生光を前記光源の長さ方向に並ぶ複数の光束に分割して所定の方向に出射するものであるため、出射光の広がり角を規制し、充分に高い照度で被写体を照明することができる。
【００２２】
この発明のストロボ装置は、例えば、前記棒状光源と、この棒状光源からの放射光を前記光源の長さ方向に並ぶ複数の光束に分割して出射する光分割手段とを備えたものが好ましく、このストロボ装置によれば、前記棒状光源の発生光を前記光源の長さ方向に並ぶ複数の光束に分割して出射することができる。
【００２３】
前記棒状光源と光分割手段とを備えたストロボ装置において、前記光分割手段は、例えば、一側が開放する横長の凹面反射面を有し、前記反射面で囲まれた空間内にその長さ方向に沿わせて配置された前記棒状光源からの放射光を前記反射面で反射して前記一側の開放部から出射するリフレクタと、前記リフレクタの前記空間内にその長さ方向に間隔をおいて配置され、前記棒状光源からの放射光及び前記反射面で反射された光のうち、リフレクタ長さ方向の広がり角が大きい光を反射して前記リフレクタの開放部から出射する複数の仕切反射板とにより構成するのが望ましく、このようにすることにより、前記棒状光源からの放射光を光強度の高い複数の光束に分割して出射し、より高い照度で被写体を照明することができる。
【００２４】
その場合、前記複数の仕切反射板は、その周縁を前記リフレクタの反射面に当接させて設け、これらの仕切反射板にそれぞれ光源挿通部を形成し、前記複数の仕切反射板の前記光源挿通部に前記棒状光源を挿通するのが好ましく、このようにすることにより、前記棒状光源からの放射光のほとんどを複数の光束に分割し、さらに光強度の高い複数の光束を出射することができる。
【００２５】
また、前記棒状光源と光分割手段とを備えたストロボ装置においては、前記光分割手段を、前記棒状光源の長さを複数分割した長さと同程度の厚さを有し、その厚さ方向に貫通する光源挿通孔が設けられ、前記厚さ方向に沿った周面の一側に出射面が形成されるとともに他の周面及び前記厚さ方向の両端面に前記光源挿通孔の周面から内部に入射した光を前記出射面に向けて反射する反射面が形成された複数の透明部材をその厚さ方向に並べて配置した透明部材配列体とし、その各透明部材の前記光源挿通孔に前記棒状光源を挿通してもよく、このようにすることにより、前記棒状光源からの放射光を光強度の高い複数の光束に分割して出射し、より高い照度で被写体を照明することができる。
【００２６】
その場合は、前記透明部材の光源挿通孔の周面と、前記光源挿通孔に挿通された棒状光源の外周面との間の隙間に、透明な接着剤を充填するのが望ましく、このようにすることにより、前記棒状光源からの放射光を、前記複数の透明部材内にその光源挿通孔の周面から効率良く入射させ、各透明部材の出射面からより光強度の高い複数の光束を出射することができる。
【００２７】
前記複数の透明部材の周面及び両端面の反射面は、外気との界面で光を全反射する反射面でよく、その場合は、前記複数の透明部材を、隣り合う透明部材間に空隙を設けて配置することにより、前記棒状光源から放射され、前記複数の透明部材内にその光源挿通孔の周面から入射した光を、前記透明部材の周面及び両端面の反射面で反射して各透明部材の出射面から出射することができる。
【００２８】
また、前記複数の透明部材の周面の反射面と両端面の反射面の少なくとも一方は、反射膜を形成した反射面でもよく、このようにすることにより、前記棒状光源から放射され、前記複数の透明部材内にその光源挿通孔の周面から入射した光を、前記透明部材の周面及び両端面の反射面で反射して各透明部材の出射面から出射することができる。
【００２９】
さらに、この発明のストロボ装置において、前記光分割手段は、前記棒状光源からの放射光を分割した複数の光束をそれぞれ集光させて出射する集光手段をさらに備えているのが望ましく、このようにすることにより、前記棒状光源からの放射光を分割した複数の光束をそれぞれ集光してその光強度を高くし、さらに高い照度で被写体を照明することができる。
【００３０】
その場合、前記集光手段は、例えば、前記分割した複数の光束の出射領域にそれぞれ対応する複数の集光レンズを有し、前記複数の光束の出射側に配置されたレンズ板が好ましく、このようにすることにより、前記棒状光源からの放射光を分割した複数の光束をそれぞれ集光してその光強度を高くすることができる。
【００３１】
また、前記光分割手段を、上述したように、棒状光源の発光領域をその長さ方向に複数分割した長さと同程度の厚さを有し、その厚さ方向に貫通する光源挿通孔が設けられ、前記厚さ方向に沿った周面の一側に出射面が形成されるとともに他の周面及び前記厚さ方向の両端面に前記光源挿通孔の周面から内部に入射した光を前記出射面に向けて反射する反射面が形成された複数の透明部材をその厚さ方向に並べて配置した透明部材配列体とする場合は、前記集光手段を、前記複数の透明部材の出射面にそれぞれ集光レンズを形成して構成してもよく、このようにすることにより、前記棒状光源からの放射光を分割した複数の光束をそれぞれ集光してその光強度を高くすることができる。
【００３２】
さらに、この発明のストロボ装置は、前記棒状光源を、周面の少なくとも一側にその長さ方向に並ぶ複数の凸レンズ状面が形成され、内部において発生した光を前記複数の凸レンズ状面により分割してこれらの凸レンズ状面からそれぞれ放射する分割光束放射光源としたものでもよく、このストロボ装置によれば、前記分割光束放射光源（棒状光源）により、その発生光を前記光源の長さ方向に並ぶ複数の光束に分割して出射することができる。
【００３３】
前記分割光束放射光源は、その周面の一側を分割光束放射面とし、前記周面の他の部分に反射膜を設けた指向性光源が好ましく、この指向性光源を用いることにより、その分割光束放射面から高強度の分割光束を出射し、より高い照度で被写体を照明することができる。
【００３４】
また、前記分割光束放射光源を備えたストロボ装置は、前記分割光束放射光源の複数の凸レンズ状面からそれぞれ放射された複数の光束を各光束毎に集光させて出射する集光手段をさらに備えているのが好ましく、このようにすることにより、前記分割光束放射光源から放射された複数の光束をそれぞれ集光してその光強度を高くすることができる。
【００３５】
その場合、前記集光手段は、前記分割光束放射光源の複数の凸レンズ状面にそれぞれ対応する複数の集光レンズを有するレンズ板が望ましく、このようにすることにより、前記分割光束放射光源の複数の凸レンズ状面から放射された複数の光束をそれぞれ集光してその光強度を高くすることができる。
【００３６】
さらに、前記レンズ板の複数の集光レンズはそれぞれ、前記分割光束放射光源の凸レンズ状面から放射された光束の中心線付近に焦点を有しているのが好ましく、このようにすることにより、前記分割光束放射光源から放射された複数の光束を、その光強度をさらに高くして出射することができる。
【発明を実施するための最良の形態】
【００３７】
（第１の実施形態）
図１及び図２はこの発明の第１の実施例のストロボ装置を備えたカメラの一例を示す正面図及びそのストロボ部の拡大断面図である。
【００３８】
このカメラ１は、薄型のデジタルスチルカメラであり、その前面に撮像レンズ２が設けられるとともに、前面の上端部に光学ファンイダの対物窓３とストロボ部４が設けられている。
【００３９】
なお、このカメラ１の後面には、図示しないが、モニタディスプレイ、モード切替キー、前記光学ファンイダの接眼窓等が設けられ、上面には、電源キー（図示せず）、シャッタボタン６等が設けられ、下面には、外部機器接続部等が設けられており、カメラ１内には、前記撮像レンズ２に対向させて固体撮像素子（ＣＣＤ）が配置されるとともに、撮像素子駆動回路、撮像画像の処理回路及び画像記憶回路、ストロボ駆動回路、モニタ駆動回路等が設けられている。
【００４０】
前記カメラ１のストロボ部４は、図２に示したように、カメラ１の前面に設けられたストロボ光出射窓５と、カメラ１内に前記ストロボ光出射窓５に対向させて配置されたストロボ装置１０とにより構成されている
図３は前記ストロボ装置１０の斜視図、図４は前記ストロボ装置１０の分解斜視図、図５及び図６は図３のV−V線及びVI−VI線に沿う拡大断面図である。
【００４１】
このストロボ装置１０は、閃光放電管からなる棒状光源１１を備えたものであり、前記棒状光源１１と、この棒状光源１１からの放射光を前記光源１１の長さ方向に並ぶ複数の光束に分割して所定の方向に出射する光分割手段１４とを備えている。
【００４２】
この実施例で用いた棒状光源１１は、直管状のガラス管１２内に閃光放電手段を設けた閃光放電管からなっており、その両端に、前記カメラ１内のストロボ駆動回路に接続される端子１３が突設されている。
【００４３】
前記光分割手段１４は、一側が開放する横長の凹面反射面１５ａを有し、前記反射面１５ａで囲まれた空間内にその長さ方向に沿わせて配置された前記棒状光源１１からの放射光を前記反射面１５ａで反射して前記一側の開放部から出射するリフレクタ１５と、前記リフレクタ１５の前記空間内にその長さ方向に間隔をおいて配置され、前記棒状光源１１からの放射光及び前記反射面１５ａで反射された光のうち、リフレクタ長さ方向の広がり角が大きい光を反射して前記リフレクタ１５の開放部から出射する複数の仕切反射板１６とからなっている。
【００４４】
前記リフレクタ１５は、前記棒状光源１１の光放射部（ガラス管部）の全長にわたる長さを有しており、その凹面反射面１５ａは、楕円の長軸方向の一端側と同様な曲率を有する曲面に形成されている。
【００４５】
また、前記複数の仕切反射板１６は、前記リフレクタ１５の凹面反射面１５ａで囲まれた空間の断面形状と略同じ外形に形成された両面反射板であり、この仕切反射板１６は、その反射面をリフレクタ長さ方向に対して垂直にして前記リフレクタ１５の両端部及びその間の複数箇所に均等な間隔で配置され、その周縁を前記リフレクタ１５の反射面１５ａに当接されて、前記リフレクタ１５に溶接または接着により固定されている。
【００４６】
そして、この複数の仕切反射板１６にはそれぞれ前記リフレクタ１５の凹面反射面１５ａの焦点位置に対応させて前記棒状光源１１の外径（ガラス管１２の外径）よりも僅かに大きい径を有する半円形状の光源挿通部１６ａが形成されており、前記棒状光源１１は、これらの仕切反射板１６の光源挿通部１６ａに挿通されて前記リフレクタ１５の凹面反射面１５ａの焦点位置に配置されている。
【００４７】
なお、前記複数の仕切反射板１６の光源挿通部１６ａのうち、前記リフレクタ１５の両端部に配置された仕切反射板１６の光源挿通部１６ａは、前記棒状光源１１の全周を囲む円形孔とされており、他の仕切反射板１６の光源挿通部１６ａは、前記リフレクタ１５の内奥方向に開放するＵ状孔とされている。
【００４８】
さらに、前記光分割手段１４は、前記棒状光源１１からの放射光を分割した複数の光束をそれぞれ集光させて出射する集光手段１７をさらに備えている。
【００４９】
この集光手段１７は、前記分割した複数の光束の出射領域、つまり前記リフレクタ１５の開放部の複数の仕切反射板１６間の領域）にそれぞれ対応する複数の集光フレネルレンズ１９を有し、前記複数の光束の出射側（リフレクタ１５の出射側）に配置されたレンズ板１８からなっている。
【００５０】
この実施例のストロボ装置１０は、前記棒状光源１１からの放射光を前記光分割手段１４により前記棒状光源１１の長さ方向に並ぶ複数の光束に分割して所定の方向に出射するものであり、前記棒状光源１１からの放射光は、前記光分割手段１４のリフレクタ１５の凹面反射面１５ａで囲まれた空間内にその長さ方向に間隔をおいて配置された複数の仕切反射板１６により前記棒状光源１１の長さ方向に並ぶ複数の光束に分割されて前記リフレクタ１５の開放部から出射する。
【００５１】
すなわち、前記棒状光源１１からの放射光は、前記リフレクタ１５の凹面反射面１５ａで囲まれた空間内にその長さ方向に間隔をおいて配置された複数の仕切反射板１６間の領域にそれぞれ入射して前記リフレクタ１５の長さ方向に並ぶ複数の光束に分割される。
【００５２】
そして、図５及び図６に矢線で示したように、前記棒状光源１１から隣り合う仕切反射板１６の間の領域に放射された光のうち、前記リフレクタ１５の開放部に向かう光は、前記開放部から直接出射し、他の光は、前記リフレクタ１５の凹面反射面１５ａ及び仕切反射板１６の一方または両方で反射されて前記リフレクタ１５の開放部から出射する。
【００５３】
また、前記複数の仕切反射板１６により分割されて前記リフレクタ１５の開放部から出射した複数の光束は、前記リフレクタ１５の出射側に配置されたレンズ板１８の複数の集光フレネルレンズ１９により集光されて出射する。
【００５４】
このストロボ装置１０は、閃光放電管からなる棒状光源１１と、この棒状光源１１からの放射光を前記光源１１の長さ方向に並ぶ複数の光束に分割して出射する光分割手段１４とを備えたものであるため、前記棒状光源１１の発生光を前記光源１１の長さ方向に並ぶ複数の光束に分割して出射することができる。
【００５５】
そして、このストロボ装置１０は、前記棒状光源１１の発生光を前記光源１１の長さ方向に並ぶ複数の光束に分割して所定の方向に出射するものであるため、出射光の広がり角を規制し、充分に高い照度で被写体を照明することができる。
【００５６】
また、このストロボ装置は、前記光分割手段１４を、一側が開放する横長の凹面反射面１５ａを有し、前記反射面１５ａで囲まれた空間内にその長さ方向に沿わせて配置された前記棒状光源１１からの放射光を前記反射面１５ａで反射して前記一側の開放部から出射するリフレクタ１５と、前記リフレクタ１５の前記空間内にその長さ方向に間隔をおいて配置され、前記棒状光源１１からの放射光及び前記反射面１５ａで反射された光のうち、リフレクタ長さ方向の広がり角が大きい光を反射して前記リフレクタ１５の開放部から出射する複数の仕切反射板１６とにより構成しているため、前記棒状光源１１からの放射光を光強度の高い複数の光束に分割して出射し、より高い照度で被写体を照明することができる。
【００５７】
しかも、この実施例では、前記複数の仕切反射板１６を、その周縁を前記リフレクタ１５の反射面１５ａに当接させて設け、これらの仕切反射板１６にそれぞれ光源挿通部１６ａを形成し、前記複数の仕切反射板１６の光源挿通部１６ａに前記棒状光源１１を挿通しているため、前記棒状光源１１からの放射光のほとんどを複数の光束に分割し、さらに光強度の高い複数の光束を出射することができる。
【００５８】
さらに、このストロボ装置１０は、前記光分割手段１４に、前記棒状光源１１からの放射光を分割した複数の光束をそれぞれ集光させて出射する集光手段１７をさらに備えさせているため、前記棒状光源１１からの放射光を分割した複数の光束をそれぞれ集光してその光強度を高くし、さらに高い照度で被写体を照明することができる。
【００５９】
この実施例では、前記集光手段１７を、前記分割した複数の光束にそれぞれ対応する複数の集光フレネルレンズ１９を有し、前記複数の光束の出射側に配置されたレンズ板１８としているため、前記棒状光源１１からの放射光を分割した複数の光束をそれぞれ集光してその光強度を高くすることができる。
【００６０】
（第２の実施形態）
図７〜図１１はこの発明の第２の実施例を示しており、図７はストロボ装置の斜視図、図８は前記ストロボ装置の分解斜視図、図９は図７のIX−IX線に沿う拡大断面図である。
【００６１】
この実施例のストロボ装置２０は、閃光放電管からなる棒状光源２１と、前記棒状光源２１からの放射光を前記光源２１の長さ方向に並ぶ複数の光束に分割して出射する光分割手段２４とを備えたものである。
【００６２】
前記棒状光源２１は、直管状のガラス管２２内に閃光放電手段を設けた閃光放電管からなっており、その両端に、例えば図１及び図２に示したデジタルスチルカメラ１内のストロボ駆動回路に接続される端子２３が突設されている。
【００６３】
前記光分割手段２４は、前記棒状光源２１の光放射部（ガラス管部）の長さを複数分割した長さと同程度の厚さを有し、その厚さ方向に貫通する光源挿通孔２７が設けられ、前記厚さ方向に沿った周面の一側に出射面２６ａが形成されるとともに他の周面及び前記厚さ方向の両端面に前記光源挿通孔２７の周面から内部に入射した光を前記出射面２６ａに向けて反射する反射面２６ｂ，２６ｃが形成されたアクリル樹脂等からなる複数の透明部材２６をその厚さ方向に並べて配置した透明部材配列体２５からなっている。
【００６４】
図１０及び図１１は前記透明部材配列体２５の１つの透明部材２６の斜視図及び側面図であり、この透明部材２６の周面の一側の出射面２６ａは平坦面に形成され、他の周面の反射面２６ｂは楕円の長軸方向の一端側と同様な曲率を有する曲面に形成され、厚さ方向の両端面の反射面２６ｃはそれぞれ前記出射面２６ａに対して垂直な平坦面に形成されており、前記光源挿通孔２７は、前記他の周面の楕円状の曲面を有する反射面（以下、楕円状反射面という）２６ｂの焦点位置に設けられている。
【００６５】
なお、前記透明部材２６の周面の楕円状反射面２６ｂ及び両端面の反射面２６ｃはそれぞれ、外気（空気）との界面で光を全反射する反射面であり、そのために、この実施例では、前記複数の透明部材２６を、隣り合う透明部材２６間に極く小さい空隙Ａを設けて前記透明部材２６の厚さ方向に並べて配置している。
【００６６】
そして、前記棒状光源２１は、上記のように並べて配置された前記複数の透明部材２６の光源挿通孔２７に挿通されて、これらの透明部材２６の楕円状反射面２６ｂの焦点位置に配置されている。
【００６７】
また、この実施例では、前記複数の透明部材２６の光源挿通孔２７の周面と、前記光源挿通孔２７に挿通された前記棒状光源２１の外周面（ガラス管２２の外周面）との間の隙間に、透明な接着剤２９を充填している。
【００６８】
さらに、前記光分割手段２４は、前記棒状光源２１からの放射光を分割した複数の光束をそれぞれ集光させて出射する集光手段３０をさらに備えている。
【００６９】
この集光手段３０は、前記分割した複数の光束の出射領域、つまり前記透明部材配列体２５の各透明部材２６の出射面２６ａにそれぞれ対応する複数の集光フレネルレンズ３２を有し、前記複数の光束の出射側（透明部材配列体２５の出射側）に配置されたレンズ板３１からなっている。
【００７０】
この実施例のストロボ装置２０は、前記棒状光源２１からの放射光を前記光分割手段２４により前記棒状光源２１の長さ方向に並ぶ複数の光束に分割して所定の方向に出射するものであり、前記棒状光源２１からの放射光は、前記光分割手段２４の透明部材配列体２５の複数の透明部材２６により複数の光束に分割され、これらの透明部材２６の出射面２６ａから出射する。
【００７１】
すなわち、前記棒状光源２１からの放射光は、前記光分割手段２４の透明部材配列体２５の複数の透明部材２６内にそれぞれ前記光源挿通孔２７の周面から入射して複数の光束に分割される。
【００７２】
そして、図９及び図１１に矢線で示したように、前記複数の透明部材２６内に前記光源挿通孔２７の周面から入射した光のうち、前記透明部材２６の出射面２６ａに向かう光は、前記出射面２６ａから直接出射し、他の光は、前記透明部材２６の周面の楕円状反射面２６ｂと外気との界面及び両端面の反射面２６ｃと外気との界面で全反射されて前記出射面２６ａから出射する。
【００７３】
また、前記透明部材配列体２５の複数の透明部材２６により分割されてこれらの透明部材２６の出射面２６ａからそれぞれ出射した複数の光束は、前記透明部材配列体２５の出射側に配置されたレンズ板３１の複数の集光フレネルレンズ３２により集光されて出射する。
【００７４】
このストロボ装置２０は、閃光放電管からなる棒状光源２１と、この棒状光源２１からの放射光を前記光源２１の長さ方向に並ぶ複数の光束に分割して出射する光分割手段２４とを備えたものであるため、前記棒状光源２１の発生光を前記光源２１の長さ方向に並ぶ複数の光束に分割して出射することができる。
【００７５】
そして、このストロボ装置２０は、前記棒状光源２１の発生光を前記光源２１の長さ方向に並ぶ複数の光束に分割して所定の方向に出射するものであるため、出射光の広がり角を規制し、充分に高い照度で被写体を照明することができる。
【００７６】
また、このストロボ装置２０は、前記光分割手段２４を、前記棒状光源２１の長さ（光放射部の長さ）を複数分割した長さと同程度の厚さを有し、その厚さ方向に貫通する光源挿通孔２７が設けられ、前記厚さ方向に沿った周面の一側に出射面２６ａが形成されるとともに他の周面及び前記厚さ方向の両端面に前記光源挿通孔２７の周面から内部に入射した光を前記出射面２６ａに向けて反射する反射面２６ｂ，２６ｃが形成された複数の透明部材２６をその厚さ方向に並べて配置した透明部材配列体２５とし、その各透明部材２６の前記光源挿通孔２７に前記棒状光源２１を挿通しているため、前記棒状光源２１からの放射光を光強度の高い複数の光束に分割して出射し、より高い照度で被写体を照明することができる。
【００７７】
さらに、このストロボ装置２０は、前記透明部材配列体２５の各透明部材２６の光源挿通孔２７の周面と、前記光源挿通孔２７に挿通された棒状光源２１の外周面との間の隙間に、透明な接着剤２９を充填しているため、前記棒状光源２１からの放射光を、前記複数の透明部材２６内にその光源挿通孔２７の周面から効率良く入射させ、各透明部材２６の出射面２６ａからより光強度の高い複数の光束を出射することができる。
【００７８】
なお、前記接着剤２９は、前記透明部材２６の光の屈折率に近い屈折率を有しているのが好ましく、前記透明部材２６と接着剤２９と屈折率差を小さくすることにより、前記棒状光源２１からの放射光を前記透明部材２６内にその光源挿通孔２７の周面からさらに効率良く入射させることができる。
【００７９】
また、このストロボ装置２０は、前記透明部材配列体２５の複数の透明部材２６の周面及び両端面の反射面２６ｂ，２６ｃを、外気との界面で光を全反射する反射面としているが、前記複数の透明部材２６を、隣り合う透明部材２６間に空隙Ａを設けて配置しているため、前記棒状光源２１から放射され、前記複数の透明部材２６内にその光源挿通孔２７の周面から入射した光を、前記透明部材２６の周面及び両端面の反射面２６ｂ，２６ｃで反射して各透明部材の出射面から出射することができる。
【００８０】
さらに、このストロボ装置２０は、前記光分割手段２４に、前記棒状光源２１からの放射光を分割した複数の光束をそれぞれ集光させて出射する集光手段３０をさらに備えさせているため、前記棒状光源２１からの放射光を分割した複数の光束をそれぞれ集光してその光強度を高くし、さらに高い照度で被写体を照明することができる。
【００８１】
この実施例では、前記集光手段３０を、前記分割した複数の光束にそれぞれ対応する複数の集光フレネルレンズ３２を有し、前記複数の光束の出射側に配置されたレンズ板３１としているため、前記棒状光源２１からの放射光を分割した複数の光束をそれぞれ集光してその光強度を高くすることができる。
【００８２】
なお、上記第２の実施例では、透明部材配列体２５の複数の透明部材２６の周面及び両端面の反射面２６ｂ，２６ｃの両方を、外気との界面で光を全反射する反射面としているが、これらの反射面２６ｂ，２６ｃの一方は、反射膜を形成した反射面としてもよく、その場合も、前記棒状光源２１から放射され、前記複数の透明部材２６内にその光源挿通孔２７の周面から入射した光を、前記透明部材２６の周面及び両端面の反射面２６ｂ，２６ｃで反射して各透明部材２６の出射面２６ａから出射することができる。
【００８３】
図１２は前記透明部材２６の変形例を示す斜視図であり、この透明部材２６は、その周面及び両端面の反射面２６ｂ，２６ｃのうち、前記周面の反射面２６ｂを、その全体に反射膜２８を形成した反射面とし、両端面の反射面２６ｃを外気との界面で光を全反射する反射面としたものである。
【００８４】
前記透明部材２６は、その両端面の反射面２６ｃを、その全体に反射膜を形成した反射面としたものでもよく、その場合は、前記複数の透明部材２６を、その間に空隙を設けずに、それぞれの端面の反射面２６ｃ同士を互いに密接させて配置してもよい。
【００８５】
また、上記第２の実施例では、透明部材配列体２５の出射側に、前記棒状光源２１からの放射光を分割した複数の光束をそれぞれ集光させて出射する集光手段３０として、複数の集光フレネルレンズ３２を有するレンズ板３１を配置しているが、前記集光手段３０は、前記透明部材配列体２５の複数の透明部材２６出射面２６ａにそれぞれ集光レンズを形成して構成してもよく、その場合も、前記棒状光源２１からの放射光を分割した複数の光束をそれぞれ集光してその光強度を高くすることができる。
【００８６】
図１３は前記透明部材２６の他の変形例を示す斜視図であり、この透明部材２６は、その出射面２６ａに、前記光束を集光させて出射する集光フレネルレンズ３２ａを形成したものである。
【００８７】
（第３の実施形態）
図１４及び図１５はこの発明の第３の実施例を示しており、図１４はストロボ装置の平面図、図１５は前記ストロボ装置の拡大断面図である。
【００８８】
この実施例のストロボ装置３３は、閃光放電管からなる棒状光源３４を、周面にその長さ方向に並ぶ複数の凸レンズ状面３５ａが形成され、内部において発生した光を前記複数の凸レンズ状面３５ａにより分割してこれらの凸レンズ状面３５ａからそれぞれ放射する分割光束放射光源としたものである。
【００８９】
なお、前記分割光束放射光源（棒状光源）３４は、周面に前記複数の凸レンズ状面３５ａを形成したガラス管３５内に閃光放電手段を設けた閃光放電管からなっており、その両端に、例えば図１及び図２に示したデジタルスチルカメラ１内のストロボ駆動回路に接続される端子３６が突設されている。
【００９０】
そして、この実施例では、前記分割光束放射光源３４を、その周面の一側を分割光束放射面とし、前記周面の他の部分に反射膜３７を設けた指向性光源としている。
【００９１】
さらに、このストロボ装置３３は、前記分割光束放射光源３４の複数の凸レンズ状面３５ａからそれぞれ放射された複数の光束を各光束毎に集光させて出射する集光手段３８をさらに備えている。
【００９２】
この集光手段３８は、前記分割光束放射光源３４の複数の凸レンズ状面３５ａにそれぞれ対応する複数の集光レンズ４０を有するレンズ板３９からなっている。このレンズ板３９の複数の集光レンズ４０はそれぞれ、前記分割光束放射光源３４の凸レンズ状面３５ａから放射された光束の中心線付近に焦点を有する凸レンズとされている。
【００９３】
この実施例のストロボ装置３３は、閃光放電管からなる棒状光源３４を、周面にその長さ方向に並ぶ複数の凸レンズ状面３５ａが形成され、内部において発生した光を前記複数の凸レンズ状面３５ａにより分割してこれらの凸レンズ状面３５ａからそれぞれ放射する分割光束放射光源としたものであるため、この分割光束放射光源（棒状光源）３４により、その発生光を前記光源３４の長さ方向に並ぶ複数の光束に分割して出射することができる。
【００９４】
また、この実施例では、前記分割光束放射光源３４を、その周面の一側を分割光束放射面とし、前記周面の他の部分に反射膜３７を設けた指向性光源としているため、その分割光束放射面から高強度の分割光束を出射し、より高い照度で被写体を照明することができる。
【００９５】
さらに、このストロボ装置３３は、前記分割光束放射光源３４の複数の凸レンズ状面３５ａからそれぞれ放射された複数の光束を各光束毎に集光させて出射する集光手段３８をさらに備えているため、前記分割光束放射光源３４から放射された複数の光束をそれぞれ集光してその光強度を高くすることができる。
【００９６】
この実施例では、前記集光手段３８を、前記分割光束放射光源３４の複数の凸レンズ状面３５ａにそれぞれ対応する複数の集光レンズ４０を有するレンズ板３９としているため、前記分割光束放射光源３４の複数の凸レンズ状面３５ａから放射された複数の光束をそれぞれ集光してその光強度を高くすることができる。
【００９７】
しかも、この実施例では、前記レンズ板３９の複数の集光レンズ４０をそれぞれ、前記分割光束放射光源の凸レンズ状面から放射された光束の中心線付近に焦点を有する凸レンジとしているため、前記分割光束放射光源３４から放射された複数の光束を、その光強度をさらに高くして出射することができる。
【００９８】
なお、この実施例では、前記分割光束放射光源（棒状光源）３４の複数の凸レンズ状面３５ａを前記光源３４の全周にわたって形成しているが、前記分割光束放射光源３４の分割光束放射面に前記凸レンズ状面３５ａを形成し、前記光源３４の分割光束放射面以外の周面は直管状面としてもよい。
【００９９】
また、この実施例では、前記分割光束放射光源３４を、その周面の一側を分割光束放射面とし、前記周面の他の部分に反射膜３７を設けた指向性光源としているが、この分割光束放射光源３４を、その全周から光を放射する無指向性光源とし、この分割光束放射光源３４からの放射光をリフレクタにより光束出射方向に反射するようにしてもよい。
【図面の簡単な説明】
【０１００】
【図１】この発明の第１の実施例のストロボ装置を備えたカメラの正面図。
【図２】前記カメラのストロボ部の拡大断面図。
【図３】この発明の第１の実施例のストロボ装置の斜視図。
【図４】第１の実施例のストロボ装置の分解斜視図。
【図５】図３のV−V線に沿う拡大断面図。
【図６】図３のVI−VI線に沿う拡大断面図。
【図７】この発明の第２の実施例のストロボ装置の斜視図。
【図８】第２の実施例のストロボ装置の分解斜視図。
【図９】図７のIX−IX線に沿う拡大断面図。
【図１０】第２の実施例のストロボ装置における透明部材配列体の１つの透明部材の斜視図。
【図１１】前記透明部材の側面図。
【図１２】前記透明部材の変形例を示す斜視図。
【図１３】前記透明部材の他の変形例を示す斜視図。
【図１４】この発明の第３の実施例のストロボ装置の平面図。
【図１５】第３の実施例のストロボ装置の拡大断面図。
【符号の説明】
【０１０１】
１０…ストロボ装置、１１…棒状光源、１４…光分割手段、１５…リフレクタ、１５ａ…凹面反射面、１６…仕切反射板、１６ａ…光源挿通部、１７…集光手段、１８…レンズ板、１９…集光フレネルレンズ、２０…ストロボ装置、２１…棒状光源、２４…光分割手段、２５…透明部材配列体、２６…透明部材、Ａ…透明部材間の空隙、２６ａ…出射面、２６ｂ，２６ｃ…反射面、２７…光源挿通部、２８…反射膜、２９…接着剤、３０…集光手段、３１…レンズ板、３２…集光フレネルレンズ、３３…ストロボ装置、３４…分割光束放射光源（棒状光源）、３５ａ…凸レンズ状面、３７…反射膜、３８…集光手段、３９…レンズ板、４０…集光レンズ。
【図１】
2006098939.tif 000003
【図２】
2006098939.tif 000004
【図３】
2006098939.tif 000005
【図４】
2006098939.tif 000006
【図５】
2006098939.tif 000007
【図６】
2006098939.tif 000008
【図７】
2006098939.tif 000009
【図８】
2006098939.tif 000010
【図９】
2006098939.tif 000011
【図１０】
2006098939.tif 000012
【図１１】
2006098939.tif 000013
【図１２】
2006098939.tif 000014
【図１３】
2006098939.tif 000015
【図１４】
2006098939.tif 000016
【図１５】
2006098939.tif 000017